(57)【要約】【課題】合成樹脂製の分割型保持器において、連結ピンによる連結を確実に行う。【解決手段】軸方向に二分割された一対の環状の分割体３０を軸方向に挿通させた連結ピン３２により連結することによって構成され、かつ転がり軸受１０の玉１６を収容するための複数のポケット２８を周方向に間隔をあけて備えている合成樹脂製の分割型保持器１８の組立方法である。各分割体３０を軸方向に貫通する貫通孔３４に、合成樹脂製の連結ピン３２を挿入する工程と、連結ピン３２の少なくとも一端部を溶融し、貫通孔３４の開口周縁３４ａに係合する頭部３８ａを形成する工程とを含む。【選択図】図４
2010180953.tif 000002
【特許請求の範囲】
【請求項１】
軸方向に二分割された一対の環状の分割体を、軸方向に挿通させた連結ピンにより連結することによって構成され、かつ転がり軸受の転動体を収容するための複数のポケットを周方向に間隔をあけて備えている合成樹脂製の分割型保持器の組立方法であって、
各分割体を軸方向に貫通する貫通孔に、合成樹脂製の連結ピンを挿入する工程と、
前記連結ピンの少なくとも一端部を溶融することによって、当該一端部に前記貫通孔の開口周縁に係合する頭部を形成する工程とを含む分割型保持器の組立方法。
【請求項２】
前記貫通孔に前記連結ピンを挿入する前の工程として、前記貫通孔の前記開口周縁を溶融させて面取りする工程をさらに含むことを特徴とする請求項１に記載の分割型保持器の組立方法。
【請求項３】
前記連結ピンの一端部をレーザーの照射によって溶融することを特徴とする請求項１又は２に記載の分割型保持器の組立方法。
【請求項４】
レーザーの照射範囲が、前記貫通孔の前記開口周縁を含む範囲とされていることを特徴とする請求項３記載の分割型保持器の組立方法。
【発明の詳細な説明】
【技術分野】
【０００１】
本発明は、分割型保持器の組立方法に関するものである。
【背景技術】
【０００２】
一般に転がり軸受は、内輪軌道面を有する内輪と、内輪軌道面の外周側に対向する外輪軌道面を有する外輪と、内輪軌道面及び外輪軌道面の間に転動可能に配置された複数の転動体と、複数の転動体の周方向の間隔を保持する保持器とを備えている。
このうち保持器は、転動体を収容するための複数のポケットを周方向に間隔をあけて備えており、製造の形態や形状によって打ち抜き型、もみ抜き型、冠型等に分類される。また、特許文献１に記載されているように、もみ抜き型の保持器であって、軸方向の中央で２つの分割体に分割されるとともに各分割体がリベットによって互いに連結された分割型の保持器も知られている。
このような分割型の保持器は、例えば図６に示すように、２つの分割体１３０を貫通する貫通孔１３４に頭１４９付きのリベット１５０を挿入し、当該リベット１５０の先端部１５１をハンマー等の打ち込みでかしめることによって組み立てられる。
【先行技術文献】
【特許文献】
【０００３】
【特許文献１】実開平６−７３４４２号公報
【発明の概要】
【発明が解決しようとする課題】
【０００４】
転がり軸受は、その使用環境等に応じて金属製の保持器や合成樹脂製の保持器が用いられる。分割型の保持器が合成樹脂製である場合、図６に示すようにリベット１５０をかしめる際に分割体１３０に過負荷がかかるのを防止するため、リベット１５０の先端部には座金１５２が取り付けられる。
【０００５】
しかしながら、合成樹脂製の保持器は、金属製の座金１５２に比べて軟質であり、座金１５２を背面からしっかり強固に支持することができないので、リベット１５０の先端部を強く打ち込んだ場合に座金１５２が割れてしまうことがある。また、座金１５２が割れないようにリベット１５０の打ち込みを弱くするとリベット１５０の頭部１４９が浮き上がり、分割体１３０の連結が不完全になってしまう。したがって、分割体１３０を確実に連結するにはリベット１５０のかしめ具合を適度に調整しなければならず、組立作業が煩雑になるという問題がある。
【０００６】
本発明はこのような問題を解決するためになされたもので、その目的は、合成樹脂製の分割型保持器において、分割体の連結を簡単かつ確実に行うことができる組立方法を提供することを目的とする。
【課題を解決するための手段】
【０００７】
本発明は、軸方向に二分割された一対の環状の分割体を、軸方向に挿通させた連結ピンにより連結することによって構成され、かつ転がり軸受の転動体を収容するための複数のポケットを周方向に間隔をあけて備えている合成樹脂製の分割型保持器の組立方法であって、
各分割体を軸方向に貫通する貫通孔に、合成樹脂製の連結ピンを挿入する工程と、
前記連結ピンの少なくとも一端部を溶融することによって、当該一端部に前記貫通孔の開口周縁に係合する頭部を形成する工程とを含むことを特徴とする。
【０００８】
本発明の組立方法によれば、連結ピンの少なくとも一端部を溶融し、当該一端部に貫通孔の開口周縁に係合する頭部を形成するので、従来技術のようにリベットの打ち込みが不要であり、座金が損傷したり分割体の連結が不十分になったりするような不具合も当然に生じることがなく、分割体を簡単かつ確実に連結することができる。
【０００９】
また、本発明は、前記貫通孔に連結ピンを挿入する前の工程として、前記貫通孔の前記開口周縁を溶融して面取りする工程をさらに含むことを特徴とする。
貫通孔の開口周縁を溶融すると、当該開口周縁の角がとれて面取りされた状態になる。そして、連結ピンの一端部を溶融すると、面取りされた状態の開口周縁の形状に応じて頭部が形成されるので、頭部の付け根部分が滑らかな形状となる（例えば、図４参照）。これによって頭部の付け根部部分に応力が集中し難くなり、連結ピンの破損を防止して耐久性を高めることができる。
【００１０】
また、本発明は、前記連結ピンの一端部をレーザーの照射によって溶融することを特徴とする。レーザーは、高い出力密度で狭い範囲に照射可能であるため、連結ピンのような小径の部材であっても適切に溶融することができる。
【００１１】
また、本発明は、レーザーの照射範囲が、前記貫通孔の前記開口周縁を含む範囲とされていることを特徴とする。これによって貫通孔の開口周縁を一度に溶融し、面取りされた状態にすることができる。
【発明の効果】
【００１２】
本発明の分割型保持器の組立方法によれば、合成樹脂製の分割体を連結ピンによって簡単かつ確実に連結することができる。
【図面の簡単な説明】
【００１３】
【図１】本発明の実施形態に係る分割型保持器を備えた転がり軸受の断面図である。
【図２】図１に示される保持器の正面図である。
【図３】図２のＡ矢示図である。
【図４】図３のＢ−Ｂ矢視断面図である。
【図５】連結ピンの先端部を保持器に接合する手順を示す断面図である。
【図６】従来技術に係る分割型保持器の断面図である。
【発明を実施するための形態】
【００１４】
次に本発明を実施するための形態について図面を参照して説明する。
図１は本発明の実施形態に係る分割型保持器を備えた転がり軸受の断面図である。
転がり軸受１０は、内輪１２と、この内輪１２の径方向外側に同心状に配置された外輪１４と、内輪１２および外輪１４の間に転動可能に配置された複数の転動体１６と、複数の転動体１６の周方向の間隔を保持する保持器１８とを備えて構成されている。
【００１５】
この転がり軸受１０は深溝玉軸受であり、内輪１２の外周面には、転動体１６としての玉が転動する断面凹円弧状の内輪軌道面２０が形成されている。また、外輪１４の内周面には、玉１６が転動する凹円弧状の外輪軌道面２２が形成されている。
【００１６】
図２は、保持器の正面図、図３は図２のＡ矢示図、図４は図３のＢ−Ｂ矢視断面図である。保持器１８は、フェノール樹脂等の合成樹脂によって環状に形成されており、図３に示すように、軸方向の両側に設けられた円環状の主部２４と、軸方向両側の主部２４に掛け渡されるように形成された柱部２６とを備えている。柱部２６は周方向に等間隔で複数設けられ、複数の柱部２６の間には転動体１６を保持するためのポケット２８が形成されている。
【００１７】
保持器１８は、軸方向の中央で２つの環状の分割体３０に分割されており、２つの分割体３０は連結ピン３２によって互いに連結されている。具体的に、保持器１８は、柱部２６の軸方向中央部で２つに分断されており、したがって、各分割体３０は、各１つの主部２４と、この主部２４から軸方向内方に突出する半分の柱部２６（分割柱部）とを備えている。
【００１８】
また、図４に示すように、各分割体３０の柱部２６には、軸方向に貫通する貫通孔３４が形成されている。各分割体３０の柱部２６同士を突き合わせたとき、各貫通孔３４が互いに連通することによって、両分割体３０にわたって連結ピン３２を貫通させることが可能となっている。
【００１９】
図４に示すように、連結ピン３２は、分割体３０と同様の合成樹脂によって形成されている。また、連結ピン３２は、貫通孔３４よりも大径の頭部３６を軸方向の一端部に備えた頭付きピンとされている。そして、連結ピン３２は、軸方向の他端部（先端部３８）側から貫通孔３４に挿入されるとともに、後述する手順によって先端部３８に貫通孔３４の開口周縁に係合する頭部３８ａが形成される。
保持器１８の軸方向両端面には、連結ピン３２の各頭部３６，３８ａを収めるためのざぐり４０が形成されている。このざぐり４０は、径方向内方に開放している。
【００２０】
図５は、連結ピン３２の先端部３８を溶融して保持器に接合する手順を示す断面図である。
図５（ａ）に示すように、まず、一方の分割体３０における貫通孔３４の開口周縁３４ａにレーザーを照射し、当該開口周縁３４ａを溶融する。この溶融によって、当該開口周縁３４ａの角がとれ、面取りされた状態となる。レーザーの照射範囲Ｒは、貫通孔３４の開口周縁３４ａ全体を含む範囲とされている。
【００２１】
次いで、図５（ｂ）に示すように、貫通孔３４に連結ピン３２を挿入し、連結ピン３２の先端部３８を貫通孔３４から突出させる。
そして、図５（ｃ）に示すように、連結ピン３２の先端部３８に向けてレーザーを照射し、連結ピン３２の先端部３８を溶融する。連結ピン３２の先端部３８は、溶融されることによって径方向外側に拡がり、貫通孔３４の開口周縁３４ａに覆い被さる。また、貫通孔３４の開口周縁３４ａも同時に溶融されることによって連結ピン３２の先端部３８に溶着される。そして、時間の経過により連結ピン３２の先端部３８が固化することによって頭部３８ａが形成され、この頭部３８ａは貫通孔３４の開口周縁３４ａに強固に係合する。
【００２２】
したがって、本実施形態では、従来技術（図６参照）のように分割体３０を連結するためにリベットを打ち込んでかしめる必要がなく、座金も不要であり、樹脂製の連結ピン３２によって両分割体３０を簡単かつ確実に連結することができる。また、レーザーは、出力密度が高く、集光レンズによりビーム径を小さくすることで狭い範囲への照射が可能であるため、連結ピン３２のような小径部品の溶融に最適である。また、レーザー照射による分割体３０の変形や歪みも小さいため、保持器の真円度に影響を及ぼすことも少ない。
【００２３】
また、貫通孔３４の開口周縁３４ａは、溶融されることによって面取りされた状態となるので、頭部３８ａの付け根部形状を開口周縁３４ａに適合した滑らかな形状とすることができる。そのため、頭部３８ａの付け根部に応力が集中し難くなり、連結ピン３２が頭部３８ａの付け根部から破損するのを防止することができ、連結ピン３２の耐久性を高めることができる。
【００２４】
なお、上記実施形態において、連結ピン３２は、レーザーを透過可能な透光性を有する合成樹脂によって形成されていてもよく、分割体３０は、レーザーを吸収可能な合成樹脂によって形成されていてもよい。この場合、レーザーは連結ピン３２の内部を透過して貫通孔３４の内周面に至り、貫通孔３４の内周面を溶融させるとともに連結ピン３２の外周面をも溶融させて連結ピン３２を長手方向に広範囲に貫通孔３４の内部に溶着させることが可能となり、接合強度を高めることができる。
【００２５】
本発明は、上述した実施の形態に限定されるものではなく、種々の変更が可能である。例えば、連結ピン３２を溶融する手段としてレーザーに代えて電子ビーム等の他の手段を使用してもよい。電子ビームは、レーザーと同様に高い出力密度で挟い範囲への照射が可能である。しかしながら、レーザーは、電子ビームと比べて大気中での照射が可能であること、磁場の影響を受けないこと等の利点があることから、レーザーを用いることがより好ましい。
【００２６】
保持器１８は、軸方向の中央で２分割されているが、例えば、一方の主部２４と柱部２６との境界部分で分割されていてもよい。連結ピン３２は、両端部を溶融することによって頭部を形成してもよい。保持器１８と連結ピン３２とは、同一の材質とするに限らず、互いの溶着が可能であれば異なる材質としてもよい。また、本発明は、深溝玉軸受に限らず、他の転がり軸受の分割型保持器の組立方法として採用することができる。
【符号の説明】
【００２７】
１０      転がり軸受
１８      保持器
２８      ポケット
３０      分割体
３２      連結ピン
３４      貫通孔
３４ａ      開口周縁
３８      先端部
３８ａ      頭部
【図１】
2010180953.tif 000003
【図２】
2010180953.tif 000004
【図３】
2010180953.tif 000005
【図４】
2010180953.tif 000006
【図５】
2010180953.tif 000007
【図６】
2010180953.tif 000008